(57)【要約】【課題】光変調器の種類やバイアス制御方法に依存することなく、光位相調整部へのディザ重畳を行わずに、光位相制御を自動的かつ安定的に制御するバイアス制御機能を備えた光送信器を提供すること。【解決手段】光源１５から出力されたキャリア光が分波してそれぞれ入力される光変調部２ａ，２ｂと、光変調部２ｂに接続され、印加される直流バイアスに応じて入力された光信号の光位相をシフトして出力する光位相調整部３と、合波／干渉部としての３ｄＢカプラ４と、３ｄＢカプラ４の出力から所定の割合でその一部を取得するタップカプラ５ａ，５ｂと、タップカプラ５ａ，５ｂにより取り出された光信号をそれぞれ受光する受光器７ａ，７ｂと、受光器７ａ，７ｂで検出された受光量の差分をゼロとするように、光位相調整部３に印加する直流バイアスを制御する制御部と、を備えた光送信器を提供する。【選択図】        図１
2010002775.tif 000002
【特許請求の範囲】
【請求項１】
光源から出力されたキャリア光が分波してそれぞれ入力される第１および第２の光変調部と、
前記第２の光変調部の入力側または出力側に接続され、印加される直流バイアスに応じて入力された光信号の光位相をシフトして出力する光位相調整部と、
前記第１の光変調部の出力が入力される第１の入力部と、前記光位相調整部の出力または前記第２の光変調部の出力が入力される第２の入力部と、前記第１および第２の入力部に入力される光信号が相互に同位相であるときには入力光のすべてが出力される第１の出力部と、前記第１および第２の入力部に入力される光信号が相互に逆位相であるときには入力光のすべてが出力される第２の出力部と、を有し、前記第１および第２の入力部に入力される光信号を合波し干渉させ、前記第１および第２の出力部から出力させる光合波／干渉部と、
前記第１の出力部の出力から所定の割合でその一部を取得するとともに、前記第２の出力部の出力から前記所定の割合でその一部を取得する出力取得部と、
この出力取得部により取得された各光信号を受光する受光部と、
この受光部にて検出された前記第１の出力部からの光信号の受光量と前記第２の出力部からの光信号の受光量とに基づき、前記光位相調整部に印加する直流バイアスを制御する制御部と、
を備えることを特徴とする光送信器。
【請求項２】
前記制御部は、前記受光部にて検出された前記第１の出力部からの光信号の受光量と前記第２の出力部からの光信号の受光量とが所定の比率となるように、前記光位相調整部に印加する直流バイアスを制御することを特徴とする請求項１に記載の光送信器。
【請求項３】
前記制御部は、前記受光部にて検出された前記第１の出力部からの光信号の受光量と前記第２の出力部からの光信号の受光量との差分を算出し、この差分がゼロとなるように前記光位相調整部に印加する直流バイアスを制御することを特徴とする請求項１に記載の光送信器。
【請求項４】
前記第１および第２の光変調部が、マッハツェンダー型光変調器で構成されることを特徴とする請求項１〜３のいずれか１項に記載の光送信器。
【請求項５】
前記光合波／干渉部が、光カプラで構成されることを特徴とする請求項１〜４のいずれか１項に記載の光送信器。
【請求項６】
前記光合波／干渉部が、Ｘ型分岐導波路またはＹ型分岐導波路で構成され、前記第１または第２の出力部から出力される光信号は非導波モードとして出力されることを特徴とする請求項１〜４のいずれか１項に記載の光送信器。
【請求項７】
前記受光部が差動受光器で構成され、この差動受光器で算出された前記第１の出力部からの光信号の受光量と前記第２の出力部からの光信号の受光量との差分が前記制御部に出力されることを特徴とする請求項１〜６のいずれか１項に記載の光送信器。
【発明の詳細な説明】
【技術分野】
【０００１】
本発明は、複数の光変調器からそれぞれ出力された光変調信号の間の光位相差を自動的かつ安定的に制御するための機能を備えた光送信器に関するものである。
【背景技術】
【０００２】
近年の情報通信トラフィックの増加に対応するため、通信網に対する高速大容量化要求が非常に強い。この要求に対応する光送受信器の実用化が求められているが、その候補の一つとして、位相変調をベースとしたＤＱＰＳＫ（Differential Quadrature Phase Shift Keying）変調方式の採用が有力視されている。ＤＱＰＳＫ変調方式を実現する光送信器の構成としては、たとえば特許文献１に開示されるように、２つの光変調器で生成された位相変調光信号を合波する方法がよく知られている。
【０００３】
上記のようにＤＱＰＳＫ変調信号を２つの位相変調光信号の合波によって生成する場合、それぞれの位相変調光信号間の光位相差をπ/２に調整する必要がある。この光位相差は伝送する信号のシンボル間距離に直接影響するため、最適調整ポイントからのずれに対しては、光信号品質劣化は非常に大きい。このため、２つの位相変調光信号間の光位相差を精度よく、自動的かつ安定的に調整する調整手法を確立し、実現することがＤＱＰＳＫ変調方式の実用化には不可欠となる。
【０００４】
このような技術として、例えば特許文献２では、光位相を調整する可変遅延器に低周波ディザ信号を重畳することで、光位相差の調整を行っている。
【０００５】
一方、特許文献３では、各光変調器の直流バイアスを最適化するために各光変調器に重畳した低周波ディザ信号を利用し、変調信号間の光位相差がπ／２になったときはこれらのディザ信号間の差周波数や和周波数が発生しないことを利用して、光位相調整部へ低周波ディザ信号を印加することなく、２つの変調光信号間の光位相差を制御している。
【０００６】
【特許文献１】特表２００４−５１６７４３号公報
【特許文献２】特開平１０−２００５１２号公報
【特許文献３】特開２００７−１３３１７６号公報
【発明の開示】
【発明が解決しようとする課題】
【０００７】
しかしながら、上記従来の技術には以下に示すような問題があった。すなわち、特許文献１に記載の従来の技術では、光位相を調整する可変遅延器に低周波ディザ信号を重畳するため、低周波ディザ信号自体による主信号の品質劣化が無視できなくなるという問題があった。
【０００８】
また、特許文献２に記載の従来の技術では、各光変調器が位相変調器であった場合など直流バイアスを最適化する手段として低周波ディザ信号を用いる必要がない場合は、適用することができないという問題があった。
【０００９】
この発明は、上記のような課題を解決するためになされたもので、光変調器の種類やバイアス制御方法に依存することなく、光位相調整部へのディザ重畳を行わずに、光位相制御を自動的かつ安定的に制御するバイアス制御機能を備えた光送信器を提供することを目的とする。
【課題を解決するための手段】
【００１０】
上述した課題を解決し、目的を達成するために、本発明にかかる光送信器は、光源から出力されたキャリア光が分波してそれぞれ入力される第１および第２の光変調部と、前記第２の光変調部の入力側または出力側に接続され、印加される直流バイアスに応じて入力された光信号の光位相をシフトして出力する光位相調整部と、前記第１の光変調部の出力が入力される第１の入力部と、前記光位相調整部の出力または前記第２の光変調部の出力が入力される第２の入力部と、前記第１および第２の入力部に入力される光信号が相互に同位相であるときには入力光のすべてが出力される第１の出力部と、前記第１および第２の入力部に入力される光信号が相互に逆位相であるときには入力光のすべてが出力される第２の出力部と、を有し、前記第１および第２の入力部に入力される光信号を合波し干渉させ、前記第１および第２の出力部から出力させる光合波／干渉部と、前記第１の出力部の出力から所定の割合でその一部を取得するとともに、前記第２の出力部の出力から前記所定の割合でその一部を取得する出力取得部と、この出力取得部により取得された各光信号を受光する受光部と、この受光部にて検出された前記第１の出力部からの光信号の受光量と前記第２の出力部からの光信号の受光量とに基づき、前記光位相調整部に印加する直流バイアスを制御する制御部と、を備えることを特徴とする。
【発明の効果】
【００１１】
本発明によれば、光位相調整部に印加する直流バイアスを、受光部にて検出された第１の出力部からの光信号の受光量と第２の出力部からの光信号の受光量とに基づいて制御することで、第１および第２の入力部に入力される光信号間の光位相差を自動的かつ安定的に制御することができる、という効果を奏する。これにより、低周波ディザ信号を用いることなく、簡便な回路構成で所望の動作を実現することができる。
【発明を実施するための最良の形態】
【００１２】
以下に、本発明に係る光送信器の実施の形態を図面に基づいて詳細に説明する。なお、この実施の形態によりこの発明が限定されるものではない。
【００１３】
実施の形態１．
図１は、本実施の形態にかかるＤＱＰＳＫ変調方式の光送信器の構成を示すブロック図である。図１に示すように、本実施の形態の光送信器では、上側および下側の導波路を備えたマッハツェンダー（以下、ＭＺと略す）干渉計１が構成され、上側の導波路上には例えばＭＺ型構造の光変調器からなる光変調部２ａが設けられ、下側の導波路上には同様に例えばＭＺ型構造の光変調器からなる光変調部２ｂと、この光変調部２ｂに接続された光位相調整部３とが設けられている。なお、図１では、光位相調整部３は、光変調部２ｂの後段（出力側）に設けているが、前段（入力側）に設けてもよく、また、下側の導波路ではなく、上側の導波路に設けてもよい。
【００１４】
ＭＺ干渉計１の入力側には、光源１５から出力されたキャリア光信号を二分岐し、それぞれ上側および下側の導波路に分波する光分波部１６が設けられている。また、ＭＺ干渉計１の出力側には、光変調部２ａと光位相調整部３の各出力を合波し干渉させる光合波／干渉部としての例えば３ｄＢカプラ４が設けられている。
【００１５】
光変調部２ａ，２ｂには、それぞれ、動作点を決定する所定の直流バイアスが印加されるとともに、データ変調用の変調信号が印加される（いずれも図示せず）。光源１５から出力され光分波部１６にて二分波された光信号はそれぞれ光変調部２ａ，２ｂに入力され、光変調部２ａ，２ｂにて位相変調を受けた後に出力される。光変調部２ａ，２ｂからそれぞれ出力された光信号間の位相差は、０またはπとなるように設定される。
【００１６】
光位相調整部３には、動作点を決定する所定の直流バイアスが印加され、これにより、光位相調整部３の出力光と光変調部２ａの出力光との間の光位相差がπ／２となるように制御している。光位相調整部３に印加される直流バイアスは、後述の制御部９から供給される。
【００１７】
３ｄＢカプラ４は例えばＸ型分岐構造を有し、２つの入力部（第１および第２の入力部）と２つの出力部（第１および第２の出力部）とを有する。光変調部２ａと光位相調整部３からそれぞれ入力された光信号は３ｄＢカプラ４により合波／干渉され、二分岐して出力される。この出力の二分岐のうちの一方は送信器出力８として出力され、他方は光終端６で終端される。
【００１８】
３ｄＢカプラ４では、光変調部２ａおよび光位相調整部３からそれぞれ出力された光信号間の光位相差が０またはπのとき、３ｄＢカプラ４に入力された光信号はすべてどちらか一方の分岐から出力される。すなわち、例えば、光位相差が０のとき、３ｄＢカプラ４に入力された光信号はすべて送信器出力８の分岐に出力され、光位相差がπのとき、３ｄＢカプラ４に入力された光信号はすべて光終端６の分岐に出力される。換言すれば、光変調部２ａおよび光位相調整部３からそれぞれ出力され３ｄＢカプラ４に入力される光信号が相互に同位相であるときには、３ｄＢカプラ４に入力された光信号はすべて例えば送信器出力８の分岐に出力され、光変調部２ａおよび光位相調整部３からそれぞれ出力され３ｄＢカプラ４に入力される光信号が相互に逆位相であるときには、３ｄＢカプラ４に入力された光信号はすべて例えば光終端６の分岐に出力される。一方、光変調部２ａおよび光位相調整部３から出力される光信号間の光位相差がちょうどπ／２ずれているときは、３ｄＢカプラ４からそれぞれ出力される出力光レベルが同一となる。つまり、送信器出力８の分岐に出力される出力光と光終端６の分岐に出力される出力光とが同一レベルとなる。
【００１９】
３ｄＢカプラ４の出力側には、タップカプラ５ａ，５ｂと受光器７ａ、７ｂとが設けられている。タップカプラ５ａは、３ｄＢカプラ４の一方の出力である送信器出力８側の出力の一部を取り出し、タップカプラ５ｂは、３ｄＢカプラ４の他方の出力である光終端６側の出力の一部を取り出す。なお、タップカプラ５ａ，５ｂは、それぞれ、３ｄＢカプラ４の出力から所定の同一の割合で出力を取得する。例えば、３ｄＢカプラ４の送信器出力８側の出力と光終端６側の出力の出力光レベルが同一であれば、タップカプラ５ａ，５ｂがそれぞれ一部取得する出力光のレベルも互いに同一となる。タップカプラ５ａにより取り出された光信号は、受光器７ａにて受光され光／電気変換される。また、タップカプラ５ｂにより取り出された光信号は、受光器７ｂにて受光され光／電気変換される。タップカプラ５ａ，５ｂは出力取得部を構成し、受光器７ａ，７ｂは受光部を構成する。
【００２０】
光位相調整部３の光位相シフト量を制御する直流バイアスを決定し出力する制御部９が設けられている。制御部９は、この制御部９への制御信号入力１０によって決まる直流バイアスを、受光器７ａ、７ｂによりそれぞれ検出された受光量の差分に基づいて調整した後に、光位相調整部３へ出力する。すなわち、制御部９は、受光器７ａ、７ｂによりそれぞれ検出された受光量の差分を算出し、この差分が減少しゼロとなるように直流バイアスを調整して光位相調整部３へ出力する。これにより、光変調部２ａおよび光位相調整部３から出力される光信号間の光位相差をπ／２となるように制御する。
【００２１】
次に、本実施の形態の動作について説明する。光源１５から出力されたキャリア光信号はＭＺ干渉計１に入力され、光分波部１６で二分岐される。上側の導波路を進む信号光は光変調部２ａで位相変調を受ける。下側の導波路を進む信号光は光変調部２ｂで位相変調を受け、さらに光位相調整部３にて、制御部９から入力された直流バイアスに基づき、π／２の光位相シフトを受ける。そして、光変調部２ａから出力された光信号と光位相調整部３から出力された光信号とが３ｄＢカプラ４に入力され、合波／干渉された後、二分岐して出力される。３ｄＢカプラ４の出力のそれぞれ一部は、タップカプラ５ａ，５ｂで取り出され、受光器７ａ，７ｂで受光され光／電気変換される。
【００２２】
ここで、前述のように、光変調部２ａ、光位相変調部３からそれぞれ出力され、３ｄＢカプラ４に入力される光信号の光位相差が０またはπのとき、３ｄＢカプラ４へ入力された光はすべてどちらか一方の分岐から出力される。一方、光位相差が、所望の、ちょうどπ／２だけずれているときは、３ｄＢカプラ４のそれぞれの出力光レベルが同一となる。したがって、受光器７ａ，７ｂで検出された受光量が同一になるよう、あるいはそれらの差が０になるよう光位相調整部３の直流バイアスを制御すれば、所望の位相関係を得ることができる。
【００２３】
動作の説明に戻ると、受光器７ａ，７ｂで検出された受光量はそれぞれ制御部９へ出力される。制御部９では、受光器７ａ，７ｂで検出された受光量の差分を算出し、この差分量を０とするように光位相調整部３に印加する直流バイアスを制御する。
【００２４】
なお、実際の送信器構成においては、光変調部２ａ，２ｂの挿入損失、光位相調整部３の挿入損失、３ｄＢカプラ４の結合効率など様々な誤差要因に加え、予等化変調を行った場合など、もともと変調信号のマーク率が通常の１／２とは異なる値であることもあり得る。したがって、制御部９によってこれらの要因を織り込んで制御をおこなうことで、前述の要因によらず所望の位相関係に光信号を制御することが可能である。具体的には、制御部９にて、受光器７ａ，７ｂで検出された受光量に必要に応じて重みづけを行い、これらの重みづけられた受光量の差分がゼロになるように光位相調整部３への直流バイアスを制御することができる。これは、受光器７ａ，７ｂで検出された受光量が所定の比率となるように光位相調整部３への直流バイアスを制御するものである。
【００２５】
また、上記において、３ｄＢカプラ４は、ファイバ型、平面導波路型、またはハーフミラー型等の構成とすることができる。
【００２６】
図３は、特許文献２に記載の光時分割多重化装置の構成を示すブロック図である。図３において、光時分割多重化装置は、短パルス光源５１、光分岐器５２、光変調器５３，５４、可変光遅延素子５７、光カプラ５８、光電変換器５９、バンドパスフィルタ６０、検波器６１、位相比較器６２、低周波発信器６３、誤差増幅器６４、および加算器６５を備えている。
【００２７】
図３では、短パルス光源５１からの光短パルス列を光分岐器５２で二系統に分け、光変調器５３，５４でそれぞれデータ変調した後、一方の系統では可変光遅延素子５７により位相調整して光カプラ５８で１ビットおきとなるように合波する。ここで、可変光遅延素子５７の遅延量制御信号に低周波発振器６３で発生される基準周波数信号を加算して、その遅延量を微小変調させている。そして、光カプラ５８で一部分岐される光出力を光電変換器５９で受信し、光短パルス列の２倍の符号速度に相当する周波数成分をバンドパスフィルタ６０で抽出し、検波器６１で検波した後、位相比較器６２で基準周波数信号と位相比較し、位相誤差信号を誤差増幅器６４で増幅した後、これを低周波発振器６３の出力に加算して遅延量制御信号を調整する。
【００２８】
この従来の光時分割多重化装置においては、光位相調整部である可変光遅延素子５７には、低周波発振器６３で発生される基準周波数信号、すなわち低周波ディザ信号を重畳するため、光カプラ５８から出力される多重化光出力にも低周波ディザ信号が重畳し、低周波ディザ信号自体による主信号の品質劣化が無視できなくなるといった問題点が生じ得る。一方、本実施の形態では、光位相調整部３に低周波ディザ信号を重畳する必要がないので、このような問題が生ずることがない。
【００２９】
図４は、特許文献３に記載の光変調器の構成を示すブロック図である。図４において、光変調器１０５は、上側導波路１０６ａ、下側導波路１０６ｂ、高周波変調信号駆動手段１１０ａ，１１０ｂ、ＭＺ型光変調部１１３ａ，１１３ｂ、直流バイアス制御手段１１１ａ，１１１ｂ，１１１ｃ、加算手段１１２ａ，１１２ｂ、低周波発振器１１４ａ，１１４ｂ、光位相調整部１１５、ミキシング手段１１６、光電気変換手段１１７、同期検波手段１１８、光分波手段１１９ａ，１１９ｂ、および光合波手段１２０を備えている。
【００３０】
入力光は光分波手段１１９ａで分波され、それぞれＭＺ型光変調部１１３ａ，１１３ｂに入力される。ＭＺ型光変調部１１３ａには、直流バイアス制御手段１１１ａから直流バイアスが入力されるとともに、高周波変調信号駆動手段１１０ａからデータ変調用の高周波変調信号が入力される。また、直流バイアスには、低周波発振器１１４ａから周波数ｆ１の低周波ディザ信号が重畳される。ＭＺ型光変調部１１３ｂについても同様にして説明することができ、印加される直流バイアスには、低周波発振器１１４ｂから周波数ｆ２の低周波ディザ信号が重畳される。ＭＺ型光変調部１１３ｂから出力された光信号は、光位相調整部１１５にて光位相差π／２が付与され、この光位相調整部１１５の出力光とＭＺ型光変調部１１３ａの出力光とが、光合波手段１２０にて合波される。
【００３１】
光合波手段１２０から出力された光信号の一部は、光分波手段１１９ｂにて分岐され、光電気変換手段１１７を経て、同期検波手段１１８に出力される。同期検波手段１１８は、和周波数ｆ１＋ｆ２および差周波数ｆ１−ｆ２の各周波数成分における光量変化を基準信号との比較によって検出する。直流バイアス制御手段１１１ｃは同期検波手段１１８から出力される和周波数および差周波数における同期検波出力の変化に基づいて光位相調整部１１５に出力する直流バイアスを制御する。なお、光位相調整部１１５にて付与される位相差がπ／２のとき、和周波数成分および差周波数成分は０となり、π／２からずれが生ずると符号を持った誤差信号が発生する。
【００３２】
この従来の光変調器においては、ＭＺ型光変調器１１３ａ，１１３ｂの各光変調器に直流バイアスを最適化する手段として低周波ディザ信号を重畳しているが、一般に光変調器が位相変調器である場合など直流バイアスを最適化する手段として低周波ディザ信号を用いない場合には適用することができないという問題がある。一方、本実施の形態では、光変調部に低周波ディザ信号を重畳する必要がないので、光変調器の種類によらずに適用することができる。
【００３３】
以上説明したように、本実施の形態によれば、光位相調整部３に印加する直流バイアスを、受光部７ａ，７ｂが検出した受光量、特にその差分、に基づいて制御することで、変調光信号間の光位相差を自動的かつ安定的に制御することができる、という効果を奏する。このようにして、本実施の形態では、ディザ信号を重畳する必要もなく、また、受光器７ａ，７ｂでは出力として平均量を受光すればよいので高速電気回路等を用いる必要もなく、極めて簡便な回路で所望の動作を実現することができる。
【００３４】
実施の形態２．
図２は、本実施の形態にかかるＤＱＰＳＫ変調方式の光送信器の構成を示すブロック図である。図２では、図１と同一の構成要素には同一の符号を付している。
【００３５】
図２に示すように、本実施の形態の光送信器では、ＭＺ干渉計１８が構成され、このＭＺ干渉計１８における光合波／干渉部は例えばＹ型分岐導波路１７で構成されている。この場合は、光変調部２ａ、光位相調整部３から出力された信号光の光位相差が０（またはπ）のとき、Ｙ型分岐導波路１７に入力された信号光はすべて送信器出力８として出力される。逆に光変調部２ａ、光位相調整部３から出力された信号光の光位相差がπ（または０）のとき、Ｙ型分岐導波路１７に入力された信号光はすべてＹ型分岐部にて非導波モードとなって導波路外に拡散する。換言すれば、光変調部２ａおよび光位相調整部３からそれぞれ出力されＹ型分岐導波路１７に入力される光信号が相互に同位相であるときには、Ｙ型分岐導波路１７に入力された光信号はすべて例えば送信器出力８として出力され、光変調部２ａおよび光位相調整部３からそれぞれ出力されＹ型分岐導波路１７に入力される光信号が相互に逆位相であるときには、Ｙ型分岐導波路１７に入力された光信号はすべて例えば非導波モードとなってＹ型分岐部にて導波路外に拡散する。一方、光変調部２ａおよび光位相調整部３から出力される光信号間の光位相差がちょうどπ／２ずれているときは、Ｙ型分岐導波路１７から送信器出力８として出力される出力光レベルと、Ｙ型分岐部にて非導波モードとなって導波路外に拡散する出力光レベルとが同一となる。
【００３６】
このように、Ｙ型分岐導波路１７は、それぞれ導波路からなる２つの入力部（第１および第２の入力部）および１つの出力部（例えば第１の出力部）と、Ｙ型分岐部にて非導波モードとして出力光を拡散させるもう１つの出力部（例えば第２の出力部）とからなる。
【００３７】
図２では、非導波モードになった拡散光を受光する受光手段として、例えば導波路基盤の裏面に配置した受光器１１で受光する。また、Ｙ型分岐導波路１７から導波光として出力された光信号の一部は、実施の形態１の場合と同様に、タップカプラ５ａで分岐され取り出される。なお、タップカプラ５ａ、受光器１１は、それぞれ、Ｙ型分岐導波路１７の出力から所定の同一の割合で出力を取得する（実施の形態１参照）。本実施の形態では、受光部として差動受光器１２が設けられており、この差動受光器１２において、タップカプラ５ａにより取得された受光量と、受光器１１により取得された受光量との差分が算出され、この算出結果が制御部９へ送出される。制御部９は、得られた受光量の差分に基づいて直流バイアスの制御を行い、これにより、図１の場合と同等の効果を得ることができる。
【００３８】
以上の動作は、ＭＺ干渉計１８の合波／干渉部としてのＹ型分岐導波路１７を、例えば非対称Ｘ型分岐導波路のように工夫することによって、別の導波路から導波モードとして出力することも可能であり、このようなＸ型分岐導波路を合波／干渉部とすることで、本実施の形態と同等の効果を得ることができる。
【００３９】
また、図２では、受光部として差動受光器１２を用いており、タップカプラ５ａ、受光器１１により検出された受光量の差分を直接取り出し、これを誤差信号として制御部９を制御し、さらに光位相調整部３を制御することによって最適位相に調整することができる。本実施の形態のその他の構成、動作、および効果は実施の形態１と同様である。なお、図１において、受光器７ａ，７ｂを差動受光器１２に置き換えた構成でも同様の効果を得ることができる。
【産業上の利用可能性】
【００４０】
本発明は、ＤＱＰＳＫ方式の光送信器において光変調器から出力された変調信号間の光位相差を自動的かつ安定的に制御する技術として有用である。
【図面の簡単な説明】
【００４１】
【図１】実施の形態１にかかるＤＱＰＳＫ変調方式の光送信器の構成を示すブロック図である。
【図２】実施の形態２にかかるＤＱＰＳＫ変調方式の光送信器の構成を示すブロック図である。
【図３】特許文献２に記載の光時分割多重化装置の構成を示すブロック図である。
【図４】特許文献３に記載の光変調器の構成を示すブロック図である。
【符号の説明】
【００４２】
１，１８  ＭＺ干渉計
２ａ，２ｂ  光変調部
３  光位相調整部
４  ３ｄＢカプラ
５ａ，５ｂ  タップカプラ
６  光終端
７ａ，７ｂ  受光器
８  送信器出力
９  制御部
１０  制御信号入力
１１  受光器
１２  差動受光器
１５  光源
１６  光分波部
１７  Ｙ型分岐導波路
【図１】
2010002775.tif 000003
【図２】
2010002775.tif 000004
【図３】
2010002775.tif 000005
【図４】
2010002775.tif 000006